【手続補正書】
【提出日】平成25年7月3日(2013.7.3)
【手続補正１】
【補正対象書類名】特許請求の範囲
【補正対象項目名】全文
【補正方法】変更
【補正の内容】
【特許請求の範囲】
【請求項１】
車両に搭載されるように構成され、光照射又は光投影によって前記車両の開閉体の開作動を表す記号及び閉作動を表す記号を共に表示可能であるとともに、表示された両記号の何れか一方を照射又は投影する光の遮断に伴う反射光の変化を通じて、前記開閉体を開作動又は閉作動しようとするユーザの意思を検知するように構成された光電センサと、
前記開閉体を開閉作動させるように構成された駆動手段と、
前記光電センサにより検知されたユーザの意思に合わせて前記開閉体が開作動又は閉作動するように前記駆動手段を制御するように構成された制御手段とを備えた車両用開閉体作動装置。
【請求項２】
請求項１に記載の車両用開閉体作動装置において、
前記光電センサによる光照射又は光投影時、前記表示される両記号を動かす光軸駆動手段を備えた車両用開閉体作動装置。
【請求項３】
請求項１又は２に記載の車両用開閉体作動装置において、
前記光電センサとは異なる光源を備え、
前記表示される各記号は、前記光電センサから照射又は投影される光と、前記光源から照射又は投影される光とにより構成される車両用開閉体作動装置。
【請求項４】
請求項３に記載の車両用開閉体作動装置において、
前記光電センサから照射又は投影される光、及び前記光源から照射又は投影される光は、互いに異なる形状若しくは色彩、又は互いに異なる形状且つ互いに異なる色彩からなる車両用開閉体作動装置。
【請求項５】
請求項１〜４の何れか一項に記載の車両用開閉体作動装置において、
前記光電センサは、車両下方に向けて光照射又は光投影を行う車両用開閉体作動装置。
【請求項６】
請求項５に記載の車両用開閉体作動装置において、
前記光電センサは、車両ボディの側部及び後側上部の少なくとも一方に配設されており、前記車両ボディの意匠面よりも外側に前記記号を表示する車両用開閉体作動装置。
【請求項７】
請求項５に記載の車両用開閉体作動装置において、
前記光電センサは、車両ボディの側部及び後側上部の少なくとも一方に配設されており、前記車両ボディの意匠面に前記記号を表示する車両用開閉体作動装置。
【請求項８】
請求項１〜４の何れか一項に記載の車両用開閉体作動装置において、
前記光電センサは、車両ボディ又は前記開閉体の室内側に配置され、前記開閉体の窓ガラスに向けて光照射又は光投影を行う車両用開閉体作動装置。
【請求項９】
請求項１〜８の何れか一項に記載の車両用開閉体作動装置において、
前記制御手段は、前記光電センサが照射又は投影される光の遮断を検知した箇所とユーザが存在する箇所とが合致するとき前記開閉体の開閉作動を許容する車両用開閉体作動装置。
【請求項１０】
請求項１〜９の何れか一項に記載の車両用開閉体作動装置において、
前記両記号を照射又は投影する光が同時に遮断されたとき、前記制御手段は、前記駆動手段による前記開閉体の開作動又は閉作動を停止させる車両用開閉体作動装置。
【請求項１１】
請求項６又は７に記載の車両用開閉体作動装置において、
前記光電センサは、前記車両ボディの側部に設置されたアウトサイドドアハンドル内に設けられている車両用開閉体作動装置。
【請求項１２】
請求項６又は７に記載の車両用開閉体作動装置において、
前記光電センサは、前記車両ボディの後側上部に設置されたスポイラ内に設けられている車両用開閉体作動装置。
【手続補正２】
【補正対象書類名】明細書
【補正対象項目名】０００７
【補正方法】変更
【補正の内容】
【０００７】
上記問題点を解決するために、請求項１に記載の発明は、車両に搭載されるように構成され、光照射又は光投影によって前記車両の開閉体の開作動を表す記号及び閉作動を表す記号を共に表示可能であるとともに、表示された両記号の何れか一方を照射又は投影する光の遮断に伴う反射光の変化を通じて、前記開閉体を開作動又は閉作動しようとするユーザの意思を検知するように構成された光電センサと、前記開閉体を開閉作動させるように構成された駆動手段と、前記光電センサにより検知されたユーザの意思に合わせて前記開閉体が開作動又は閉作動するように前記駆動手段を制御するように構成された制御手段とを備えたことを要旨とする。
【手続補正３】
【補正対象書類名】明細書
【補正対象項目名】０００８
【補正方法】変更
【補正の内容】
【０００８】
同構成によれば、ユーザが前記開閉体を開作動又は閉作動すべく、表示されている該当の記号の照射又は投影される光を遮断すると、これに伴い検知される反射光の変化に基づいて、前記光電センサにより前記開閉体を開作動又は閉作動しようとするユーザの意思が検知される。そして、前記制御手段により、前記検知されたユーザの意思に合わせて前記開閉体が開作動又は閉作動するように前記駆動手段が制御される。この場合、前記記号の照射又は投影される光の遮断は、例えばユーザの身体の任意の部位（足など）や携行する荷物などでも可能であるため、ユーザの両手が塞がっている状態であってもユーザの意思に合わせて前記開閉体を選択的に開作動又は閉作動することができる。
【手続補正４】
【補正対象書類名】明細書
【補正対象項目名】０００９
【補正方法】変更
【補正の内容】
【０００９】
請求項２に記載の発明は、請求項１に記載の車両用開閉体作動装置において、前記光電センサによる光照射又は光投影時、前記表示される両記号を動かす光軸駆動手段を備えたことを要旨とする。
【手続補正５】
【補正対象書類名】明細書
【補正対象項目名】００１０
【補正方法】変更
【補正の内容】
【００１０】
同構成によれば、前記光電センサによる光照射又は光投影時、前記光軸駆動手段により前記表示される両記号が動かされることで、該記号をユーザに視認しやすくすることができる。
【手続補正６】
【補正対象書類名】明細書
【補正対象項目名】００１１
【補正方法】変更
【補正の内容】
【００１１】
請求項３に記載の発明は、請求項１又は２に記載の車両用開閉体作動装置において、前記光電センサとは異なる光源を備え、前記表示される各記号は、前記光電センサから照射又は投影される光と、前記光源から照射又は投影される光とにより構成されることを要旨とする。
【手続補正７】
【補正対象書類名】明細書
【補正対象項目名】００１２
【補正方法】変更
【補正の内容】
【００１２】
同構成によれば、前記表示される記号を、前記光電センサから照射又は投影される光と前記光源から照射又は投影される光とにより構成することで、前記表示される記号を前記光電センサから照射又は投影される光のみで構成する場合に比べて、前記光電センサの検出領域を狭くすることが可能になり、ひいては前記光電センサの検出精度を向上できる。
【手続補正８】
【補正対象書類名】明細書
【補正対象項目名】００１３
【補正方法】変更
【補正の内容】
【００１３】
請求項４に記載の発明は、請求項３に記載の車両用開閉体作動装置において、前記光電センサから照射又は投影される光、及び前記光源から照射又は投影される光は、互いに異なる形状若しくは色彩、又は互いに異なる形状且つ互いに異なる色彩からなることを要旨とする。
【手続補正９】
【補正対象書類名】明細書
【補正対象項目名】００１４
【補正方法】変更
【補正の内容】
【００１４】
同構成によれば、前記光電センサから照射又は投影される光と、前記光源から照射又は投影される光とを容易に区別できるため、ユーザの操作性が向上する。
請求項５に記載の発明は、請求項１〜４のいずれか一項に記載の車両用開閉体作動装置において、前記光電センサは、車両下方に向けて光照射又は光投影を行うことを要旨とする。
【手続補正１０】
【補正対象書類名】明細書
【補正対象項目名】００１５
【補正方法】変更
【補正の内容】
【００１５】
請求項６に記載の発明は、請求項５に記載の車両用開閉体作動装置において、前記光電センサは、車両ボディの側部及び後側上部の少なくとも一方に配設されており、前記車両ボディの意匠面よりも外側に前記記号を表示することを要旨とする。
【手続補正１１】
【補正対象書類名】明細書
【補正対象項目名】００１６
【補正方法】変更
【補正の内容】
【００１６】
同構成によれば、前記車両ボディの意匠面よりも外側に前記記号が表示されることで、前記駆動手段による前記開閉体の開閉作動時、前記記号を表示する照射又は投影された光を遮断したユーザの身体等に前記開閉体が接触したりすることを抑制できる。また、ユーザは、前記車両ボディの意匠面に身体等をある程度近付けることで前記記号を表示する照射又は投影される光を遮断することができるため、該遮断のためのユーザ側の制約を緩和することができる。
【手続補正１２】
【補正対象書類名】明細書
【補正対象項目名】００１７
【補正方法】変更
【補正の内容】
【００１７】
請求項７に記載の発明は、請求項５に記載の車両用開閉体作動装置において、前記光電センサは、車両ボディの側部及び後側上部の少なくとも一方に配設されており、前記車両ボディの意匠面に前記記号を表示することを要旨とする。
【手続補正１３】
【補正対象書類名】明細書
【補正対象項目名】００１８
【補正方法】変更
【補正の内容】
【００１８】
同構成によれば、前記車両ボディの意匠面に前記記号を表示するため、地面に照射等を行う場合よりも光電センサと照射等される位置と距離を短くすることが可能となり、地面に照射等を行う場合よりも光電センサの検出精度を向上できる。
【手続補正１４】
【補正対象書類名】明細書
【補正対象項目名】００２０
【補正方法】変更
【補正の内容】
【００２０】
同構成によれば、前記光電センサを室内側に配置することで、該光電センサに塵や汚れ等が付着することを低減することが可能となり、前記光電センサの検出精度の低下を低減できる。
請求項９に記載の発明は、請求項１〜８の何れか一項に記載の車両用開閉体作動装置において、前記制御手段は、前記光電センサが照射又は投影される光の遮断を検知した箇所とユーザが存在する箇所とが合致するとき前記開閉体の開閉作動を許容することを要旨とする。
請求項１０に記載の発明は、請求項１〜９の何れか一項に記載の車両用開閉体作動装置において、前記両記号を照射又は投影する光が同時に遮断されたとき、前記制御手段は、前記駆動手段による前記開閉体の開作動又は閉作動を停止させることを要旨とする。
請求項１１に記載の発明は、請求項６又は７に記載の車両用開閉体作動装置において、前記光電センサは、前記車両ボディの側部に設置されたアウトサイドドアハンドル内に設けられていることを要旨とする。
請求項１２に記載の発明は、請求項６又は７に記載の車両用開閉体作動装置において、前記光電センサは、前記車両ボディの後側上部に設置されたスポイラ内に設けられていることを要旨とする。